【手続補正書】
【提出日】平成29年8月2日(2017.8.2)
【手続補正１】
【補正対象書類名】特許請求の範囲
【補正対象項目名】全文
【補正方法】変更
【補正の内容】
【特許請求の範囲】
【請求項１】
放送信号の波形における搬送波周波数を中心とする上側波帯のスペクトルと下側波帯のスペクトルとの対称性を利用するノイズ低減装置において、
前記上側波帯及び前記下側波帯の少なくとも一方にビートノイズ成分が混入する混入周波数が検出された場合、前記一方と異なる他方の側波帯において、前記混入周波数と前記対称性を有する周波数の成分を、前記混入周波数の成分とする信号修復部；
を備えるノイズ低減装置。
【請求項２】
前記放送信号を検波する前の検波前信号から搬送波成分を抽出した搬送波信号を用いて、前記検波前信号を同期検波し、同期検波後信号を生成する同期検波部と；
ノイズ成分除去部と；を更に備え、
前記ノイズ成分除去部は、
前記上側波帯のスペクトルに対応する前記同期検波後信号の第１部分に第１周波数の定常成分が含まれ、かつ、前記下側波帯のスペクトルに対応する前記同期検波後信号の第２部分における前記第１周波数との差が所定の範囲内の周波数領域に定常成分が含まれていない場合、前記第１周波数を前記上側波帯における前記混入周波数として検出し、
前記第２部分に第２周波数の定常成分が含まれ、かつ、前記第１部分における前記第２周波数との差が所定の範囲内の周波数領域に定常成分が含まれていない場合、前記第２周波数を前記下側波帯における前記混入周波数として検出する、
ことを特徴とする請求項１に記載のノイズ低減装置。
【請求項３】
前記ノイズ成分除去部は、
前記第１周波数が前記混入周波数として検出されたとき、前記第１部分における前記第１周波数の成分を前記第１部分から除去した第１ノイズ除去信号を生成し、
前記第２周波数が前記混入周波数として検出されたとき、前記第２部分における前記第２周波数の成分を前記第２部分から除去した第２ノイズ除去信号を生成する、
ことを特徴とする請求項２に記載のノイズ低減装置。
【請求項４】
前記信号修復部は、
前記第１ノイズ除去信号に、前記第２ノイズ除去信号における前記第１周波数の成分を加算して第１部分修復信号を生成し、
前記第２ノイズ除去信号に、前記第１ノイズ除去信号における前記第２周波数の成分を加算して第２部分修復信号を生成する、
ことを特徴とする請求項３に記載のノイズ低減装置。
【請求項５】
前記検波前信号の下側波帯のスペクトルを前記搬送波周波数に対応する周波数で折り返して得られるスペクトルと、前記検波前信号の上側波帯のスペクトルとの差分を反映し、前記同期検波後信号と同一周波数帯の差分信号を、前記検波前信号及び前記搬送波信号を用いて生成する差分信号生成部と；
前記同期検波後信号と前記差分信号とに基づいて、前記第１部分、及び、前記第２部分を抽出する抽出部と；
前記第１部分を受けた場合に、前記第１周波数を特定する第１周波数特定部、及び、前記第２部分を受けた場合に、前記第２周波数を特定する第２周波数特定部を含む周波数特定部と；を更に備え、
前記第１周波数特定部は、前記差分信号のスペクトルの時間平均と、前記第１部分のスペクトルの時間平均とに基づいて、前記第１周波数を特定し、
前記第２周波数特定部は、前記差分信号のスペクトルの時間平均と、前記第２部分のスペクトルの時間平均とに基づいて、前記第２周波数を特定する、
ことを特徴とする請求項４に記載のノイズ低減装置。
【請求項６】
前記放送信号を包絡線検波し、包絡線検波後信号を生成する包絡線検波部と；
前記同期検波後信号及び前記包絡線検波後信号のいずれかを、前記抽出部へ送る第１選択部と；
前記第１選択部による選択を制御する制御部と；
を更に備えることを特徴とする請求項５に記載のノイズ低減装置。
【請求項７】
前記第１及び第２周波数特定部に入力させる信号を選択する第２選択部と；
前記放送信号を同期検波した場合に、所望の検波結果から歪んだ前記同期検波後信号となることを示す識別信号成分が前記放送信号に含まれているかを検出する第１検出部と；を更に備え、
前記識別信号成分が前記放送信号に含まれていないことが前記第１検出部により検出されているとき、前記制御部は、前記第１選択部に前記同期検波後信号を選択させ、
前記識別信号成分が前記放送信号に含まれていることが前記第１検出部により検出されているとき、
前記制御部は、前記第２選択部に、前記包絡線検波後信号を前記第１周波数特定部に入力する信号に選択させるとともに、前記差分信号を前記第２周波数特定部に入力する信号に選択させ、
前記第１周波数特定部は、前記包絡線検波後信号に含まれる定常成分の周波数を前記第１周波数として特定し、
前記第２周波数特定部は、前記差分信号に含まれる定常成分の周波数を前記第２周波数として特定し、
前記ノイズ成分除去部は、前記第１周波数と前記第２周波数との差が前記所定の範囲内になかった場合、前記第１周波数の成分及び前記第２周波数の成分を前記包絡線検波後信号から除去した第３ノイズ除去信号を生成する、
ことを特徴とする請求項６に記載のノイズ低減装置。
【請求項８】
前記第１部分修復信号と前記第２部分修復信号とを加算して、加算信号を生成する加算部と；
出力信号を選択する第３選択部と；を更に備え、
前記制御部は
前記識別信号成分が前記放送信号に含まれていないことが前記第１検出部により検出された場合、前記第３選択部に前記加算信号を前記出力信号として選択させ、
前記識別信号成分が前記放送信号に含まれていることが前記第１検出部により検出された場合、前記第３選択部に前記第３ノイズ除去信号を前記出力信号として選択させる、
ことを特徴とする請求項７に記載のノイズ低減装置。
【請求項９】
前記検波前信号における搬送波成分を抽出し、前記搬送波信号を生成する搬送波再生部と；
出力信号を選択する第３選択部と；
前記搬送波再生部により前記搬送波信号が生成されているかを検出する第２検出部と；を更に備え、
前記制御部は、前記第２検出部により前記搬送波信号が生成されていないことを検出された場合、前記包絡線検波後信号を前記出力信号として選択させる、
ことを特徴とする請求項６又は７に記載のノイズ低減装置。
【請求項１０】
信号修復部を備え、放送信号の波形における搬送波周波数を中心とする上側波帯のスペクトルと下側波帯のスペクトルとの対称性を利用するノイズ低減装置で使用されるノイズ低減方法において、
前記上側波帯及び前記下側波帯の少なくとも一方にビートノイズ成分が混入する混入周波数が検出された場合、前記信号修復部が、前記一方と異なる他方の側波帯において、前記混入周波数と前記対称性を有する周波数の成分を、前記混入周波数の成分とする信号修復工程；を備えるノイズ低減方法。
【請求項１１】
放送信号の波形における搬送波周波数を対称中心とする上側波帯のスペクトルと下側波帯のスペクトルとの対称性を利用するノイズ低減装置が有するコンピュータに、請求項１０に記載のノイズ低減方法を実行させる、ことを特徴とするノイズ低減プログラム。
【請求項１２】
放送信号の波形における搬送波周波数を対称中心とする上側波帯のスペクトルと下側波帯のスペクトルとの対称性を利用するノイズ低減装置が有するコンピュータにより読み取り可能に、請求項１１に記載のノイズ低減プログラムが記録されている、ことを特徴とする記録媒体。
【手続補正２】
【補正対象書類名】明細書
【補正対象項目名】００１０
【補正方法】変更
【補正の内容】
【００１０】
請求項１に記載の発明は、放送信号の波形における搬送波周波数を中心とする上側波帯のスペクトルと下側波帯のスペクトルとの対称性を利用するノイズ低減装置において、前記上側波帯及び前記下側波帯の少なくとも一方にビートノイズ成分が混入する混入周波数が検出された場合、前記一方と異なる他方の側波帯において、前記混入周波数と前記対称性を有する周波数の成分を、前記混入周波数の成分とする信号修復部；を備えるノイズ低減装置である。
【手続補正３】
【補正対象書類名】明細書
【補正対象項目名】００１１
【補正方法】変更
【補正の内容】
【００１１】
請求項１０に記載の発明は、信号修復部を備え、放送信号の波形における搬送波周波数を中心とする上側波帯のスペクトルと下側波帯のスペクトルとの対称性を利用するノイズ低減装置で使用されるノイズ低減方法において、前記上側波帯及び前記下側波帯の少なくとも一方にビートノイズ成分が混入する混入周波数が検出された場合、前記信号修復部が、前記一方と異なる他方の側波帯において、前記混入周波数と前記対称性を有する周波数の成分を、前記混入周波数の成分とする信号修復工程；を備えるノイズ低減方法である。
【手続補正４】
【補正対象書類名】明細書
【補正対象項目名】００１２
【補正方法】変更
【補正の内容】
【００１２】
請求項１１に記載の発明は、放送信号の波形における搬送波周波数を対称中心とする上側波帯のスペクトルと下側波帯のスペクトルとの対称性を利用するノイズ低減装置が有するコンピュータに、請求項１０に記載のノイズ低減方法を実行させる、ことを特徴とするノイズ低減プログラムである。
【手続補正５】
【補正対象書類名】明細書
【補正対象項目名】００１３
【補正方法】変更
【補正の内容】
【００１３】
請求項１２に記載の発明は、放送信号の波形における搬送波周波数を対称中心とする上側波帯のスペクトルと下側波帯のスペクトルとの対称性を利用するノイズ低減装置が有するコンピュータにより読み取り可能に、請求項１１に記載のノイズ低減プログラムが記録されている、ことを特徴とする記録媒体である。